(57)【要約】 【課題】  検索する語句の入力および検索結果の表示などの使い勝手を向上させた検索機能付き電子機器および検索方法を提供する。【解決手段】  第１検索結果が表示部１１に表示された状態で入力部２１に備えられた検索／決定キーが押されると、検索対象となる文字列の入力が可能となる。このとき、ＲＡＭ２４は、入力された文字列を第２検索入力文字列２４３として記憶し、第２文字列を検索対象として辞書データ２３１から検索が行われる。表示部１１は、第１検索結果の一部とともに第２検索結果を表示する。これにより、第１検索結果に関連する語句を検索する場合、検索する語句が、第１検索結果に表示されている語句に限定されない。また、ユーザが画面表示を見るだけで、第２検索結果が表示されていることがわかる。【選択図】      図２
2006059087.tif 000002
【特許請求の範囲】
【請求項１】
検索処理の開始を指示する開始指示手段と、
文字列を入力する入力手段と、
入力された文字列を検索対象として辞書データから検索を行う検索手段と、
入力された文字列を第１文字列として記憶し、検索手段による検索結果を第１検索結果として記憶する記憶手段と、
前記第１検索結果を表示する表示手段とを備え、
前記第１検索結果が前記表示手段に表示された状態で前記開始指示手段により検索処理の開始が指示されると、前記入力手段による文字列の入力を可能とし、
前記記憶手段は、入力された文字列を第２文字列として記憶し、
前記検索手段は、前記第２文字列を検索対象として辞書データから検索を行い、
前記表示手段は、前記第２文字列を検索対象とする第２検索結果を表示するように構成されることを特徴とする検索機能付き電子機器。
【請求項２】
前記第１検索結果が前記表示手段に表示された状態で前記開始指示手段により検索処理の開始が指示された後、前記記憶手段に記憶されている第１検索結果の前記表示手段への表示を指示する表示指示手段を備えることを特徴とする請求項１記載の検索機能付き電子機器。
【請求項３】
前記表示手段は、第１検索結果の一部とともに第２検索結果を表示することを特徴とする請求項１または２記載の検索機能付き電子機器。
【請求項４】
検索処理の開始を指示する開始指示手段と、文字列を入力する入力手段と、入力された文字列を検索対象として辞書データから検索を行う検索手段と、入力された文字列を第１文字列として記憶し、検索手段による検索結果を第１検索結果として記憶する記憶手段と、前記第１検索結果を表示する表示手段とを備える電子機器による検索方法であって、
前記第１検索結果が前記表示手段に表示された状態で前記開始指示手段による検索処理の開始が指示されるステップと、
前記入力手段による文字列の入力を可能とするステップと、
前記記憶手段が入力された文字列を第２文字列として記憶するステップと、
前記検索手段が前記第２文字列を検索対象として辞書データから検索を行うステップと、
前記表示手段が前記第２文字列を検索対象とする第２検索結果を表示するステップとを有することを特徴とする検索方法。
【発明の詳細な説明】
【技術分野】
【０００１】
本発明は、入力された文字列を検索対象として、辞書データ内を検索し、検索結果を表示する検索機能付き電子機器および検索方法に関する。
【背景技術】
【０００２】
電子辞書などの検索機能付き電子機器を操作しているときに、ある単語に対して検索結果を表示させたのち、別の単語を検索しようとすることがある。
【０００３】
特許文献１記載の電子辞書装置は、関連語句を検索する際の操作性を向上した電子辞書装置である。この電子辞書装置では、検索結果が表示されている画面において、さらに検索したい語句があれば、装置に備わっているタッチパネルにより、その語句を指定することで、指定された語句の検索結果が表示される。
【０００４】
また、特許文献２記載の電子辞書は、所定の画面を容易に再表示させる電子辞書である。この電子辞書では、検索結果を見出し語とともに保存し、次回の検索においては、見出し語をリスト表示（ブックマークのリスト）させ、その見出し語リストの中から任意の見出し語を選択することで以前の検索結果の再表示を行うことができる。
【０００５】
【特許文献１】特開２０００−２７６４８５号公報
【特許文献２】特開２００１−１３４５７０号公報
【発明の開示】
【発明が解決しようとする課題】
【０００６】
特許文献１記載の電子辞書装置は、関連語句を簡単な操作で検索することが可能であるが、検索する語句が、検索結果に表示されている語句に限られるという問題があり、また、一つ前の検索結果に戻ることも考慮されていない。
【０００７】
特許文献２記載の電子辞書は、過去に検索したものがリスト表示されるので、検索結果の再表示は可能ではあるが、リストへの登録を行う必要があり、新たな検索語句が入力された場合、一つ前の検索結果に戻ることも考慮されていない。
【０００８】
電子辞書装置のような演算能力が低い装置においては、マルチタスク処理が行えないため、検索メニューウインドウを複数処理させることができない。そのため、検索結果を表示させた後、新たな検索を行う場合は、その時点で前の検索結果が消えてしまうという問題がある。
【０００９】
本発明の目的は、検索する語句の入力および検索結果の表示などの使い勝手を向上させた検索機能付き電子機器および検索方法を提供することである。
【課題を解決するための手段】
【００１０】
本発明は、検索処理の開始を指示する開始指示手段と、
文字列を入力する入力手段と、
入力された文字列を検索対象として辞書データから検索を行う検索手段と、
入力された文字列を第１文字列として記憶し、検索手段による検索結果を第１検索結果として記憶する記憶手段と、
前記第１検索結果を表示する表示手段とを備え、
前記第１検索結果が前記表示手段に表示された状態で前記開始指示手段により検索処理の開始が指示されると、前記入力手段による文字列の入力を可能とし、
前記記憶手段は、入力された文字列を第２文字列として記憶し、
前記検索手段は、前記第２文字列を検索対象として辞書データから検索を行い、
前記表示手段は、前記第２文字列を検索対象とする第２検索結果を表示するように構成されることを特徴とする検索機能付き電子機器である。
【００１１】
また本発明は、前記第１検索結果が前記表示手段に表示された状態で前記開始指示手段により検索処理の開始が指示された後、前記記憶手段に記憶されている第１検索結果の前記表示手段への表示を指示する表示指示手段を備えることを特徴とする。
【００１２】
また本発明は、前記表示手段は、第１検索結果の一部とともに第２検索結果を表示することを特徴とする。
【００１３】
また本発明は、検索処理の開始を指示する開始指示手段と、文字列を入力する入力手段と、入力された文字列を検索対象として辞書データから検索を行う検索手段と、入力された文字列を第１文字列として記憶し、検索手段による検索結果を第１検索結果として記憶する記憶手段と、前記第１検索結果を表示する表示手段とを備える電子機器による検索方法であって、
前記第１検索結果が前記表示手段に表示された状態で前記開始指示手段による検索処理の開始が指示されるステップと、
前記入力手段による文字列の入力を可能とするステップと、
前記記憶手段が入力された文字列を第２文字列として記憶するステップと、
前記検索手段が前記第２文字列を検索対象として辞書データから検索を行うステップと、
前記表示手段が前記第２文字列を検索対象とする第２検索結果を表示するステップとを有することを特徴とする検索方法である。
【発明の効果】
【００１４】
本発明によれば、開始指示手段により検索処理の開始が指示され、入力手段により文字列が入力されると、検索手段が入力された文字列を検索対象として辞書データから検索を行う。記憶手段は、入力された文字列を第１文字列として記憶し、検索手段による検索結果を第１検索結果として記憶する。表示手段は、第１検索結果を表示する。
【００１５】
第１検索結果が前記表示手段に表示された状態で前記開始指示手段により検索処理の開始が指示されると、前記入力手段による文字列の入力が可能となる。このとき、前記記憶手段は、入力された文字列を第２文字列として記憶し、前記検索手段は、第２文字列を検索対象として辞書データから検索を行う。前記表示手段は、第２文字列を検索対象とする第２検索結果を表示する。
【００１６】
これにより、第１検索結果に関連する語句を検索する場合、検索する語句が、第１検索結果に表示されている語句に限定されず、電子機器の使い勝手が向上する。
【００１７】
また本発明によれば、第１検索結果が前記表示手段に表示された状態で前記開始指示手段により検索処理の開始が指示された後、表示指示手段の指示によって、前記記憶手段に記憶されている第１検索結果を前記表示手段に表示することができる。
【００１８】
これにより、簡単な操作で容易に一つ前の検索結果である第１検索結果を表示させ確認することができる。
【００１９】
また本発明によれば、前記表示手段は、第１検索結果の一部とともに第２検索結果を表示する。
【００２０】
これにより、ユーザが画面表示を見るだけで、第２検索結果が表示されていることがわかる。
【００２１】
本発明によれば、開始指示手段により検索処理の開始が指示され、入力手段により文字列が入力されると、検索手段が入力された文字列を検索対象として辞書データから検索を行う。記憶手段は、入力された文字列を第１文字列として記憶し、検索手段による検索結果を第１検索結果として記憶する。表示手段は、第１検索結果を表示する。
【００２２】
第１検索結果が前記表示手段に表示された状態で前記開始指示手段により検索処理の開始が指示されると、前記入力手段による文字列の入力が可能となる。前記記憶手段が入力された文字列を第２文字列として記憶すると、前記検索手段が第２文字列を検索対象として辞書データから検索を行う。前記表示手段は、第２文字列を検索対象とする第２検索結果を表示する。
【００２３】
これにより、第１検索結果に関連する語句を検索する場合、検索する語句が、第１検索結果に表示されている語句に限定されず、電子機器の使い勝手が向上する。
【発明を実施するための最良の形態】
【００２４】
本実施形態では、検索機能付き電子機器の１つとして電子辞書装置について説明する。図１は、本発明の実施の一形態である電子辞書装置１の外観図である。電子辞書装置１は、表示部１１、ファンクションキー１２、文字キー１３、電源スイッチ１４、検索／決定キー１５、カーソルキー１６、クリアキー１７および戻るキー１８を備えている。また、電子辞書装置１は、表示部１１が設けられた第１筐体１００と、文字キー１３などの各キーが設けられた第２筐体２００とからなり第１筐体１００と第２筐体２００とはヒンジ３００を介して接続されている。未使用時には、第１筐体１００および第２筐体２００を折り畳み、コンパクトに収納することができる。
【００２５】
表示部１１は、ＬＣＤ（液晶表示装置）などで実現され、メニュー画面、入力された文字、その文字により表される単語の検索結果などを表示する表示手段である。ファンクションキー１２は、たとえば英和キーや和英キーなどを含み、電子辞書装置１の各種の動作モードを選択する際に操作される。文字キー１３はアルファベットキーおよびかなキーなどの文字キーに加え、数字キーおよび記号キーを含むキー群で構成され、検索キーとする文字などを入力する際に操作される。電源キー１４は、電子辞書装置１の電源をオン／オフ（入／切）するときに操作される。検索／決定キー１５は、検索を開始する際に操作され、所定の入力および選択を決定する際に操作される開始指示手段である。カーソルキー１６は、上キー１６ａ、下キー１６ｂ、左キー１６ｃおよび右キー１６ｄで構成され、表示部１１に表示されたカーソルの移動、および表示部１１の表示画面のスクロールなどを行う際に操作される。クリアキー１７は、入力した文字の削除、処理のキャンセルなどを行う際に操作される。戻るキー１８は、表示画面を一つ前の画面に戻すときに操作される。表示指示手段は、クリアキー１７および戻るキー１８で構成される。
【００２６】
図２は、電子辞書装置１の電気的構成を示すブロック図である。電子辞書装置１は、表示部１１、入力部２１、ＣＰＵ（中央演算処理装置）２２、ＲＯＭ（Read Only Memory）２３およびＲＡＭ（Random Access Memory）２４を有する。入力部２１は、検索する文字などの入力や制御コマンドの入力などを行うために操作される入力手段であり、図１のファンクションキー１２、文字キー１３、電源キー１４、検索／決定キー１５、カーソルキー１６、クリアキー１７および戻るキー１８などがこれに含まれる。ＣＰＵ２２は、文字列などを入力する入力処理、文字列を対象としてＲＯＭ２３に記憶される辞書データを検索する検索処理、およびメニュー画面や検索結果画面などを表示部１１に表示させる表示処理、検索履歴などをＲＡＭ２４に格納する記憶処理などを実行し、電子辞書装置１全体の制御を行う制御手段である。ＲＯＭ２３は、辞書データ記憶領域２３１、プログラム記憶領域２３２および表示用データ記憶領域２３３を有する。辞書データ記憶領域２３１には、複数の辞書データ（第１辞書２３１ａ、…、第ｎ辞書２３１ｂ）が記憶される。辞書データとは、英和辞典や広辞苑といった辞書の内容を電子化したものであり、辞書ごとに、複数の見出し語からなる検索インデックスデータ２３４および各見出し語の内容を示す表示用文字データ２３５を有する。プログラム記憶領域２３２には、入力処理用プログラム２３２ａ、検索処理用プログラム２３２ｂおよび表示処理用プログラム２３２ｃなどが記憶される。表示用データ記憶領域２３３には、第１検索処理時に表示する入力画面である第１検索入力画面データ２３３ａおよび第２検索処理時に表示する入力画面である第２検索入力画面データが２３３ｂ記憶される。
【００２７】
検索手段は、ＣＰＵ２２、ＲＯＭ２３およびＲＡＭ２４で構成される。
本発明では、後述のように第１検索の検索結果を表示している状態から別の検索（第２検索）処理を行うことを特徴とし、ＲＡＭ２４にはこの特徴を実現するために、次のようなデータを記憶する。ＲＡＭ２４は、第１検索用入力文字列２４１、第１検索結果表示用文字データ２４２、第２検索用入力文字列２４３、第２検索結果表示用文字データ２４４、状態フラグ２４５および表示用画面データ２４６を記憶し、ユーザの検索履歴および辞書の動作設定なども記憶する記憶手段である。第１検索用入力文字列２４１は、第１検索を行う際に検索対象として入力された文字列であり、第１検索結果表示用文字データ２４２は、第１検索の検索結果となる表示用文字データであり、第２検索用入力文字列２４３は、第２検索を行う際に検索対象として入力された文字列であり、第２検索結果表示用文字データ２４４は、第２検索の検索結果となる表示用文字データである。状態フラグ２４５は、入力処理や検索処理を行う際に参照され、現在の処理状態を示すフラグである。表示用画面データ２４６は、各表示用文字データおよび画面データなどを用いて作成される１画面分のグラフィックデータである。
【００２８】
まず、第１検索処理について説明する。第１検索処理は、従来の検索処理と同様の処理であり、本実施形態では、いわゆる絞り込み検索処理を行う。絞り込み検索処理は、文字列が入力されると、入力された文字列を含む見出し語を全て候補として表示する検索処理で、１文字入力されるごとに見出し語の検索を行う。
【００２９】
図３は、第１検索処理における表示画面例を示す図である。図３（ａ）は第１検索入力初期画面３０を示し、図３（ｂ）は第１検索文字列入力中画面３１を示し、図３（ｃ）は第１検索結果画面３２を示す。
【００３０】
たとえば、メニュー画面などからユーザが「広辞苑」を選択すると、表示部１１に第１検索入力初期画面３０が表示される。第１検索入力初期画面３０には、文字入力領域３０ａが表示される。第１検索入力初期画面３０が表示された状態で、文字キー１３が押されると、第１検索文字列入力中画面３１が表示される。ここでは文字列として「いんたーね」が入力された状態を示している。第１検索は、絞り込み検索であるので、文字列入力中に、候補表示領域３１ａに見出し語の候補、ここでは「インターネット」が表示される。見出し語の候補が表示された状態で、検索／決定キー１５や数字キーなどを押して候補の見出し語を１つ選択すると、選択された見出し語に対応する表示用文字データが第１検索結果画面３２に表示される。
【００３１】
第１検索結果画面３２が表示された状態で、検索／決定キー１５が押されると、第２検索処理が開始され、新たな文字列を対象とする検索を行うことができる。
【００３２】
図４は、第２検索処理における表示画面例を示す図である。図４（ａ）は第２検索入力初期画面４０を示し、図４（ｂ）は第２検索文字列入力中画面４１を示し、図４（ｃ）は、候補一覧表示画面４２を示し、図４（ｄ）は第２検索結果画面４３を示す。
【００３３】
第１検索結果画面３２が表示された状態で、検索／決定キー１５が押されると、第２検索入力初期画面４０が表示される。第２検索入力初期画面４０には、文字入力領域４０ａが表示される。
【００３４】
第２検索入力初期画面４０が表示された状態で、文字キー１３が押されると、第２検索文字列入力中画面４１が表示される。ここでは文字列として「ぶらうざー」が入力された状態を示している。検索の対象とする文字列を入力した状態で検索／決定キー１５が押されると、候補一覧表示画面４２が表示され、見出し語の候補が一覧表示される。見出し語の候補が表示された状態で、検索／決定キー１５や数字キーなどを押して候補の見出し語を１つ選択すると、選択された見出し語に対応する表示用文字データが第２検索結果画面４３に表示される。
【００３５】
なお、第２検索処理における各表示画面には、第１検索結果画面の一部３２ａがともに表示され、ユーザが画面表示を見るだけで、現在第２検索処理を行っていることがわかる。
【００３６】
さらに、第２検索入力初期画面４０が表示された状態および第２検索文字列入力中画面４１が表示された状態で戻るキー１８が押されると、第１検索結果画面３２が表示され、候補一覧表示画面４２が表示された状態および第２検索結果画面４３が表示された状態でクリアキー１７が押されると、第１検索結果画面３２が表示される。これにより、第２検索処理を行っても、第１検索処理の結果を簡単な操作で容易に確認することができる。
【００３７】
図５は、第１検索処理を示すフローチャートである。
メニュー画面などからユーザが検索したい辞書を選択すると処理が開始される。
【００３８】
まずステップＳ１では、状態フラグ２４５に、第１検索入力状態であることを記憶し、ステップＳ２で表示部１１に第１検索入力初期画面３０を表示する。ステップＳ３では、いずれかのキーが押されるまで待機し、ステップＳ４で検索／決定キー１５が押されたかどうかを判断する。検索／決定キーが押されていればステップＳ５に進み、押されていなければステップＳ１２に進む。
【００３９】
ステップＳ１２では、文字キー１３が押されたかどうかを判断する。文字キー１３が押されていればステップＳ１３に進み、押されていなければステップＳ３に戻る。ステップＳ１３では、押された文字キーに対応する文字列を第１検索入力文字列２４１としてＲＡＭ２４に記憶する。ステップＳ１４では、第１検索入力文字列を対象として、該当する見出し語を、選択された辞書データから検索する。ステップＳ１５では、第１検索文字列入力中画面３１を表示し、候補表示領域３１ａに、第１検索入力文字列に該当する見出し語の候補を一覧表示し、ステップＳ３に戻る。
【００４０】
ステップＳ５では、状態フラグ２４５に、第１検索結果表示状態であることを記憶し、ステップＳ６で第１検索結果表示用文字データ２４２をＲＡＭ２４に記憶する。ステップＳ７では、見出し語に対応する表示用文字データを第１検索結果画面３２に表示する。
【００４１】
ステップＳ８では、いずれかのキーが押されるまで待機し、ステップＳ９で検索／決定キーが押されたかどうかを判断する。検索／決定キーが押されていればステップＳ１０に進み、押されていなければステップＳ１６に進む。
【００４２】
ステップＳ１０では、状態フラグ２４５に、第２検索入力状態であることを記憶し、ステップＳ１１で第２検索文字列入力中画面４１を表示して、第２検索入力処理に移行する。ステップＳ１６では、検索／決定キー１５以外の押されたキーに応じた処理を行う。
【００４３】
図６は、第２検索入力処理を示すフローチャートである。
ステップＳ２１では、いずれかのキーが押されるまで待機し、ステップＳ２２で検索／決定キーが押されたかどうかを判断する。検索／決定キーが押されていればステップＳ２３に進み、押されていなければステップＳ２７に進む。なお、ここでは、検索／決定キーを押すことで、一覧表示されている候補から１つの見出し語が選択される処理となっているが、選択するための動作としては、各候補に対応する数字と同じ数字キーを押すことで選択することも可能である。
【００４４】
ステップＳ２７では、文字キー１３が押されたかどうかを判断する。文字キー１３が押されていればステップＳ２８に進み、押されていなければステップＳ３０に進む。ステップＳ２８では、押された文字キーに対応する文字列を第２検索入力文字列２４３としてＲＡＭ２４に記憶する。ステップＳ２９では、第２検索文字列入力中画面４１を表示し、ステップＳ２１に戻る。ステップＳ３０では、戻るキー１８が押されたかどうかを判断する。戻るキーが押されていればステップＳ３１に進み、押されていなければステップＳ２１に戻る。ステップＳ３１では、状態フラグ２４５に、第１検索結果表示状態であることを記憶し、ステップＳ３２で、ＲＡＭ２４に記憶されている第１検索結果表示用文字データ２４２を第１検索結果画面３２に表示する。なお、この後の処理は、図５のステップＳ７後の処理と同様に行われる。
【００４５】
ステップＳ２３では、第２検索入力文字列を対象として、該当する見出し語を、選択された辞書データから検索する。ステップＳ２４では、該当する見出し語があるかどうかを判断し、あればステップＳ２５に進み、なければステップＳ２１に戻る。ステップＳ２５では、状態フラグ２４５に、第２検索候補一覧表示状態であることを記憶し、ステップＳ２６で、見出し語の候補を候補一覧表示画面４２に表示して第２検索候補一覧表示処理に移行する。
【００４６】
図７は、第２検索候補一覧表示処理を示すフローチャートである。
ステップＳ４１では、いずれかのキーが押されるまで待機し、ステップＳ４２で検索／決定キーが押されたかどうかを判断する。検索／決定キーが押されていればステップＳ４３に進み、押されていなければステップＳ４６に進む。ステップＳ４６では、戻るキー１８が押されたかどうかを判断し、押されていればステップＳ４７に進み、押されていなければステップＳ４９に進む。
【００４７】
ステップＳ４７では、状態フラグ２４５に、第２検索入力状態であることを記憶し、ステップＳ４８でＲＡＭ２４に記憶されている第２検索入力文字列２４３を文字入力領域４０ａに表示する。なお、この後の処理は、図６の第２検索入力処理と同様に行われる。
【００４８】
ステップＳ４９では、クリアキー１７が押されたかどうかを判断し、押されていればステップＳ５０に進み、押されていなければステップＳ４１に戻る。ステップＳ５０では、状態フラグ２４５に、第１検索結果表示状態であることを記憶し、ステップＳ５１で、ＲＡＭ２４に記憶されている第１検索結果表示用文字データ２４２を第１検索結果画面３２に表示する。なお、この後の処理は、図５のステップＳ７後の処理と同様に行われる。
【００４９】
ステップＳ４３では、状態フラグ２４５に、第２検索結果表示状態であることを記憶し、ステップＳ４４で第２検索結果表示用文字データ２４２をＲＡＭ２４に記憶する。ステップＳ４５では、見出し語に対応する表示用文字データを第２検索結果画面４３に表示して、第２検索結果表示処理へ移行する。
【００５０】
図８は、第２検索結果表示処理を示すフローチャートである。
ステップＳ６１では、いずれかのキーが押されるまで待機し、ステップＳ６２でクリアキーが押されたかどうかを判断する。クリアキーが押されていればステップＳ６３に進み、押されていなければステップＳ６５に進む。
【００５１】
ステップＳ６３では、状態フラグ２４５に、第１検索結果表示状態であることを記憶し、ステップＳ６４で、ＲＡＭ２４に記憶されている第１検索結果表示用文字データ２４２を第１検索結果画面３２に表示する。なお、この後の処理は、図５のステップＳ７後の処理と同様に行われる。
【００５２】
ステップＳ６５では、戻るキー１８が押されたかどうかを判断し、押されていればステップＳ６６に進み、押されていなければステップＳ６１に戻る。
【００５３】
ステップＳ６６では、ＲＡＭ２４に記憶されている第２検索入力文字列２４３を対象として、該当する見出し語を、辞書データから検索する。ステップＳ６７では、状態フラグ２４５に、第２検索候補一覧表示状態であることを記憶し、ステップＳ６８で、見出し語の候補を候補一覧表示画面４２に表示する。
【００５４】
以上のように、ＲＡＭ２４に第１検索用入力文字列２４１、第１検索結果表示用文字データ２４２、第２検索用入力文字列２４３、第２検索結果表示用文字データ２４４をそれぞれ記憶しておくことで、第１検索の検索結果を表示している状態から、新たに第２の検索処理を行うことが可能である。また第２の検索処理の検索対象となる文字列を入力することができるので、検索対象が限定されず、電子機器の使い勝手が向上する。さらに、状態フラグ２４５に現在の状態を記憶し、簡単な操作で容易に１つ前の検索結果を確認することができる。
【００５５】
本発明の他の実施形態として、ＲＡＭ２４に、１つ前に表示した画面の状態を示す前画面フラグを記憶可能とし、第１検索結果表示画面以外の表示画面も簡単な操作で容易に表示できる。
【００５６】
前画面フラグには、現在表示している画面の１つ前の画面が、第１検索入力初期画面３０などの画面のいずれであったかを記憶しておく。上記のように、第２検索結果画面４３が表示された状態でクリアキー１７が押されると、第１検索結果画面３２が表示されるが、このとき、前画面フラグには１つ前の画面が、第２検索結果画面４３であることが記憶される。１つ前の画面を表示させるためのキーを、たとえば右キー１６ｄとして予め設定しておき、右キー１６ｄが押されると、前画面フラグが参照されて第２検索結果画面４３が表示される。したがって、第１検索の結果と第２の検索結果とを比較したり、第２検索用文字列を入力中に第１検索の結果を何度も確認するなどユーザの使い勝手が向上する。
【００５７】
なお、上記では第１および第２検索の２つの検索について説明したが、これに限らず３つ以上の検索を行ってもよい。３つ以上の検索を行う場合は、その数に応じてＲＡＭ２４に入力文字列および結果表示用文字データを記憶させればよい。
【図面の簡単な説明】
【００５８】
【図１】本発明の実施の一形態である電子辞書装置１の外観図である。
【図２】電子辞書装置１の電気的構成を示すブロック図である。
【図３】第１検索処理における表示画面例を示す図である。
【図４】第２検索処理における表示画面例を示す図である。
【図５】第１検索処理を示すフローチャートである。
【図６】第２検索入力処理を示すフローチャートである。
【図７】第２検索候補一覧表示処理を示すフローチャートである。
【図８】第２検索結果表示処理を示すフローチャートである。
【符号の説明】
【００５９】
１  電子辞書装置
１１  表示部
１２  ファンクションキー
１３  文字キー
１４  電源スイッチ
１５  検索／決定キー
１６  カーソルキー
１７  クリアキー
１８  戻るキー
２１  入力部
２２  ＣＰＵ（中央演算処理装置）
２３  ＲＯＭ（Read Only Memory）
２４  ＲＡＭ（Random Access Memory）
【図１】
2006059087.tif 000003
【図２】
2006059087.tif 000004
【図３】
2006059087.tif 000005
【図４】
2006059087.tif 000006
【図５】
2006059087.tif 000007
【図６】
2006059087.tif 000008
【図７】
2006059087.tif 000009
【図８】
2006059087.tif 000010